(57)【要約】【課題】  異なるサイズのシートを積載可能なシート積載装置を簡易で安価な構成で提供する。【解決手段】  第１のサイズのシートを積載して昇降可能な第１の積載手段と、前記第１の積載手段と協働して前記第１のサイズのシートより大きい第２のサイズのシートを積載可能にする第２の積載手段と、前記第１の積載手段が所定位置まで上昇した際に前記第２の積載手段と連結可能となり、前記第１の積載手段の上昇動作に連動して前記第２の積載手段を上昇可能にする連結手段と、前記第１の積載手段の上昇動作に連動して前記第２の積載手段を上昇させる連動状態と、前記第１の積載手段の上昇動作に連動して前記第２の積載手段を上昇させない非連動状態とに前記連結手段を設定可能な設定手段とを有するシート積載装置。【選択図】  図９
2020007147.tif 000002
【特許請求の範囲】
【請求項１】
第１のサイズのシートを積載して昇降可能な第１の積載手段と、
前記第１の積載手段と協働して前記第１のサイズのシートより大きい第２のサイズのシートを積載可能にする第２の積載手段と、
前記第１の積載手段が所定位置まで上昇した際に前記第２の積載手段と連結可能となり、前記第１の積載手段の上昇動作に連動して前記第２の積載手段を上昇可能にする連結手段と、
前記第１の積載手段の上昇動作に連動して前記第２の積載手段を上昇させる連動状態と、前記第１の積載手段の上昇動作に連動して前記第２の積載手段を上昇させない非連動状態とに前記連結手段を設定可能な設定手段と、
前記第１の積載手段を駆動し該第１の積載手段を上昇動作させると共に、前記設定手段により前記連動状態が設定されている場合には前記所定位置から前記第２の積載手段を伴って前記第１の積載手段を上昇動作させ、前記設定手段により前記非連動状態が設定されている場合には前記所定位置から前記第２の積載手段を伴わずに前記第１の積載手段を上昇動作せる駆動手段と、
を有することを特徴とするシート積載装置。
【請求項２】
積載されるシートのサイズを選択する選択手段を更に有し、
前記設定手段は前記選択手段の選択状態に応じて前記連結手段の設定を行うことを特徴とする請求項１に記載のシート積載装置。
【請求項３】
前記選択手段は、積載されるシートのサイズに合わせてシートの端部を規制する端部規制手段であることを特徴とする請求項２に記載のシート積載装置。
【請求項４】
前記端部規制手段は、積載されるシートの後端部を規制することを特徴とする請求項３に記載のシート積載装置。
【請求項５】
前記設定手段は、電気的手段により前記選択手段に応じた設定を行うことを特徴とする請求項２乃至請求項４のいずれか１項に記載のシート積載装置。
【請求項６】
前記電気的手段はモータを含むことを特徴とする請求項５に記載のシート積載装置。。
【請求項７】
前記設定手段は、機械的手段により前記選択手段に応じた設定を行うことを特徴とする請求項２乃至請求項４のいずれか１項に記載のシート積載装置。
【請求項８】
前記第２の積載手段は、上昇方向とは異なる方向に移動可能なシート積載部を有し、
前記機械的手段は前記選択手段の移動に応じて前記シート積載部を前記連結部材に連結する連結位置と前記連結部材に連結しない非連結位置に移動させることを特徴とする請求項７に記載のシート積載装置。
【請求項９】
前記設定手段により前記連結手段が前記非連動状態から前記連動状態に設定される際に、前記駆動手段が前記第１の積載手段を、前記所定位置を超えて上昇動作させた後に前記第１の積載手段が前記所定位置まで下降して前記連結手段が前記第２の積載手段を前記第１の積載手段に連結することを特徴とする請求項１乃至請求項８のいずれか１項に記載のシート積載装置。
【請求項１０】
前記設定手段により前記連結手段が前記連動状態から前記非連動状態に設定される際に、前記駆動手段が前記第１の積載手段及び前記第２の積載手段を、前記所定位置を超えて上昇動作させた後に前記第１の積載手段及び前記第２の積載手段が前記所定位置まで下降して前記連結手段の前記第２の積載手段との連結を解除することを特徴とする請求項１乃至請求項９のいずれか１項に記載のシート積載装置
【発明の詳細な説明】
【技術分野】
【０００１】
本発明は、異なるサイズのシートを積載可能なシート積載装置に関するものである。
【背景技術】
【０００２】
複写機、プリンタ等の画像形成装置には、シート収納部と、シート収納部に収納されたシートを送り出す給送ローラ等の給送手段とを備え、シート収納部に収納されたシートを給送手段により画像形成部に給送する構成を備えたものが知られている。
【０００３】
また、近年、数千枚もの大量のシートを収納可能な大容量のシート収納部を備えたものが増えてきている。
【０００４】
また、印刷市場においては、Ａ３、Ａ４などの普通サイズシートよりも長い、長尺シートに印刷するニーズが増えてきている。長尺シートは、例えば、ブックカバー、カタログの見開きページ、ＰＯＰ広告に用いられている。
【０００５】
従来の長尺シート対応のシート供給装置は、例えば、特許文献１に示されるように、２つの用紙積載リフタを並べて配置し、取り外し可能な仕切り板を設けて、通常は、それぞれ独立して動作させるようになっている。そして、この仕切り板を取り外し、それぞれの積載リフタが連動して動くことにより、長尺紙の積載、及び給紙を可能としている。
【先行技術文献】
【特許文献】
【０００６】
【特許文献１】特開２００３−６３７１９号公報
【発明の概要】
【発明が解決しようとする課題】
【０００７】
しかしながら、特許文献１に開示の構成では、２つの積載リフタの昇降を行うために、駆動部（例えば、モータ等の動力源、その駆動力を伝達する伝達機構）を、２つの積載リフタのそれぞれについて設ける必要があり、構成が複雑化し、コストアップにもつながるといった課題があった。さらに、複数のモータを設けた場合には、それぞれのモータを同期させて積載リフタの昇降動作を行う必要があり、制御が複雑化するといった課題もあった。
【０００８】
本発明は以上の事情に鑑みなされたもので、異なるサイズのシートを積載可能なシート積載装置を簡易で安価な構成で提供できるようにするものである。
【課題を解決するための手段】
【０００９】
上記目的を達成するための本発明は、第１のサイズのシートを積載して昇降可能な第１の積載手段と、前記第１の積載手段と協働して前記第１のサイズのシートより大きい第２のサイズのシートを積載可能にする第２の積載手段と、前記第１の積載手段が所定位置まで上昇した際に前記第２の積載手段と連結可能となり、前記第１の積載手段の上昇動作に連動して前記第２の積載手段を上昇可能にする連結手段と、前記第１の積載手段の上昇動作に連動して前記第２の積載手段を上昇させる連動状態と、前記第１の積載手段の上昇動作に連動して前記第２の積載手段を上昇させない非連動状態とに前記連結手段を設定可能な設定手段と、前記第１の積載手段を駆動し該第１の積載手段を上昇動作させると共に、前記設定手段により前記連動状態が設定されている場合には前記所定位置から前記第２の積載手段を伴って前記第１の積載手段を上昇動作させ、前記設定手段により前記非連動状態が設定されている場合には前記所定位置から前記第２の積載手段を伴わずに前記第１の積載手段を上昇動作せる駆動手段とを有するシート積載装置とするものである。
【発明の効果】
【００１０】
本発明によれば、異なるサイズのシートを積載可能なシート積載装置を簡易で安価な構成で提供できるものである。
【図面の簡単な説明】
【００１１】
【図１】本発明の第１実施形態に係る画像形成システムの概略正面断面図である。
【図２】本発明の第１実施形態に係る大容量デッキ収納庫の要部を示す斜視図である。
【図３】本発明の第１実施形態に係る異なるサイズのシートを積載した状態の大容量デッキ収納庫の要部を示す斜視図である。
【図４】本発明の第１実施形態に係るメインリフタ及び延長リフタの昇降機構を示す大容量デッキ収納庫の概略正面断面図である。
【図５】本発明の第１実施形態に係る連結部材を示す大容量デッキ収納庫の概略上面図である。
【図６】本発明の第１実施形態に係る連結部材を示す大容量デッキ収納庫の概略正面断面図である。
【図７】本発明の第１実施形態に係るシート供給デッキの制御系の構成を示すブロック図である。
【図８】本発明の第１実施形態に係る図７に示す制御部１１のＣＰＵのフローチャートである。
【図９】本発明の第１実施形態に係る図７に示す制御部１１のＣＰＵのフローチャートである。
【図１０】本発明の第２実施形態に係るメインリフタと延長リフタの連結構成を示す大容量デッキ収納庫の概略上面図である。
【図１１】本発明の第２実施形態に係る延長リフタの連結構成を示す概略側面断面図である。
【図１２】本発明の第２実施形態に係るメインリフタと延長リフタの連結構成示す大容量デッキ収納庫の概略正面断面図である。
【発明を実施するための形態】
【００１２】
以下、図面を参照して本発明の好適な実施形態を詳細に説明する。尚、以下の実施形態に記載されている構成要素はあくまで例示であり、特許請求の範囲に係る本発明はそれら構成要素のみに限定されるものではない。
【００１３】
〔第１実施形態〕
図１は、本発明の第１実施形態に係る画像形成システムの概略正面断面図である。
【００１４】
図１において、画像形成システム１は、画像形成装置本体（以下、装置本体という）１００と、この装置本体１００の上面に配置された原稿読み取りスキャナ装置２００と、装置本体１００に接続されたシート供給デッキ３００とを備えている。
【００１５】
原稿を読み取る原稿読み取りスキャナ装置２００は、走査光学系光源２０１、プラテンガラス２０２、開閉可能な原稿圧板２０３、レンズ２０４、受光素子（光電変換）２０５、画像処理部２０６、及びメモリ部２０７等を備えている。メモリ部２０７は、画像処理部２０６で処理された画像処理信号を記憶する。
【００１６】
原稿読み取りスキャナ装置２００は、原稿を読み取る際に、プラテンガラス２０２上に載置された原稿（不図示）に走査光学系光源２０１から光を照射して読み取るように構成されている。そして、読み取られた原稿画像は、画像処理部２０６で処理された後、電気的に符号化された電気信号２０８に変換されて、装置本体１００内のレーザスキャナ（作像手段）１６２に伝送される。
【００１７】
なお、画像処理部２０６で処理され、符号化された画像情報をメモリ部２０７に一旦記憶させ、後述するコントローラ１８０からの信号により、必要に応じてレーザスキャナ１６２に伝送することもできる。
【００１８】
装置本体１００は、シートＳを給送する第１〜第４シート給送装置１１０、１２０、１３０、１４０と、第１〜第４シート給送装置１１０、１２０、１３０、１４０により給送されたシートＳを画像形成部１６０へ搬送するシート搬送装置１５０とを備えている。また、装置本体１００は、装置本体１００の各部を制御する、ＣＰＵ、ＲＡＭ、ＲＯＭ等を有するコントローラ１８０を備えている。
【００１９】
ここで、第１〜第４シート給送装置１１０、１２０、１３０、１４０は、それぞれシートＳを収納するシート供給カセット１１１、１２１、１３１，１４１と、ピックアップローラ１１２、１２２、１３２、１４２と、フィードローラ１１３、１２３、１３３、１４３及びリタードローラ１１４、１２４，１３４、１４４から構成される分離搬送ローラ対とを備えている。シート供給カセット１１１、１２１、１３１、１４１内に収納されたシートＳは、所定のタイミングで昇降動作して回転するピックアップローラ１１２、１２２、１３２、１４２とフィードローラ１１３、１２３，１３３、１４３及びリタードローラ１１４、１２４，１３４、１４４から構成される分離搬送ローラ対とによって１枚ずつ分離されて、それぞれ搬送ローラ対１１６、１２６、１３６、１４６へ給送される。
【００２０】
また、フィードローラ１１３、１２３、１３３、１４３及びリタードローラ１１４、１２４，１３４、１４４から構成されるそれぞれの分離搬送ローラ対のシート給送方向の下流側近傍には給送センサ１１５、１２５，１３５、１４５が配置されており、この給送センサ１１５、１２５、１３５、１４５によりシートＳの通過が検出され、その検知信号がコントローラ１８０に送信される。
【００２１】
シート搬送装置１５０は、プレレジストローラ対１５１、及びレジストローラ対１５２を備えている。
【００２２】
シート供給カセット１１１、１２１、１３１、１４１から搬送ローラ対１１６、１２６、１３６、１４６へ選択的に給送されたシートＳは、搬送ローラ対１１６、１２６、１３６、１４６及びプレレジストローラ対１５１により、シート搬送路１５３を通過させられた後、レジストローラ対１５２に導かれる。この後、シートＳは、レジストローラ対１５２によって、所定のタイミングで画像形成部１６０に送り込まれる。
【００２３】
画像形成部１６０は、感光ドラム１６１、レーザスキャナ１６２、現像器１６３、転写帯電器１６４、及び分離帯電器１６５等を備えている。そして、画像形成時には、レーザスキャナ１６２からのレーザ光がミラー１６６に折り返されて、時計回り方向に回転する感光ドラム１６１に照射されることで、感光ドラム１６１上に静電潜像が形成される。さらに、このようにして感光ドラム上に形成された静電潜像は、この後、現像器１６３によってトナー像として顕像化される。
【００２４】
そして、感光ドラム１６１上のトナー像は、転写帯電器１６４によりシートＳに転写される。さらに、このようにトナー像が転写されたシートＳは、分離帯電器１６５により感光ドラム１６１から静電分離された後、搬送ベルト１６７により定着装置１６８に搬送されてトナー像の定着が行われ、この後、排出ローラ対１６９によって排出される。
【００２５】
また、定着装置１６８と排出ローラ１６９との間の搬送経路中に排出センサ１７０が配置されており、この排出センサ１７０の検知信号に基づき、コントローラ１８０が、排出されるシートＳの通過を検出する。
【００２６】
なお、本実施形態では、装置本体１００と原稿読み取りスキャナ装置２００とは別体に構成されているが、装置本体１００と原稿読み取りスキャナ装置２００とが一体に構成されることも可能である。また、装置本体１００は原稿読み取りスキャナ装置２００と別体でも一体でも、レーザスキャナ１６２に原稿読み取りスキャナ装置２００の処理信号を入力すれば複写機として機能し、ＦＡＸの送信信号を入力すればＦＡＸとして機能する。さらに、パーソナルコンピュータ（ＰＣ）からの信号を入力すれば、プリンタとしても機能する。
【００２７】
逆に、原稿読み取りスキャナ装置２００の画像処理部２０６の処理信号を、他のＦＡＸに送信すれば、ＦＡＸとして機能する。また、原稿読み取りスキャナ装置２００において、圧板２０３に代えて、二点鎖線で示すような原稿自動送り装置２０９を装着するように構成すれば、原稿（不図示）を自動的に読み取ることも可能になる。
【００２８】
次に、シート供給デッキ３００について、図２〜図６も参照して説明する。図２は、大容量デッキ収納庫３０１の要部を示す斜視図、図３は、異なるサイズのシートを積載した状態の大容量デッキ収納庫３０１の要部を示す斜視図である。
【００２９】
図１〜図３において、シート供給デッキ３００は、内部に収容された大容量デッキ収納庫３０１と、シート給送装置３０２とを有している。このシート給送装置３０２は、大容量デッキ収納庫３０１内に積載・収容されたシートＳを画像形成部１６０に向けて送り出すようになっている。
【００３０】
シート給送装置３０２は、メインリフタ３０３と延長リフタ３０４に積載されたシートＳを送り出すピックアップローラ３０６と、フィードローラ３０７及びリタードローラ３０８からなる分離搬送ローラ対とを備える。
【００３１】
メインリフタ３０３は、図３の（Ａ）に示される常用サイズのシートＳＳ（例えば普通紙、以下、常用シートという）を積載する。延長リフタ３０４は、メインリフタ３０３上の積載領域を拡張して、図３の（Ａ）に示される常用シートＳＳより大型サイズのシートＳＬ（例えば長尺紙、以下長尺シートという）を積載したい時に使用する。
【００３２】
ピックアップローラ３０６は、メインリフタ３０３のシート給送方向（図２の矢印ｂ方向）の先端部近傍の上方に設けられ、積載されるシートＳの最上位シートに適宜の力で当接する。そして、メインリフタ３０３上のシートＳは、所定のタイミングで昇降動作して回転するピックアップローラ３０６とフィードローラ３０７とリタードローラ３０８からなる分離搬送ローラ対により積載されるシートの最上位のシートから１枚ずつ分離給送される。
【００３３】
図２に示されるように、ピックアップローラ３０６が不図示のモータにより駆動されて、シートＳを給送する方向（矢印ａ方向）に回転すると、最上位のシートＳが矢印ｂ方向に送り出される。これにより、シートＳは、ピックアップローラ３０６の出口側に隣接しているフィードローラ３０７及びリタードローラ３０８からなる分離搬送ローラ対のニップ部に当接する。
【００３４】
ピックアップローラ３０６により送り出されるシートＳに重送が発生すると、次のようになる。つまり、矢印ａと同じ方向（矢印ｃ方向）に回転するフィードローラ３０７とは矢印ｃ方向とは逆方向に従動回転するリタードローラ３０８が、ニップ部に２枚以上のシートＳが介在することでフィードローラ３０７と同じ方向に回転する。すると、このリタードローラ３０８により、ニップ部内の２枚目以降のシートＳがメインリフタ３０３の方向に押し戻され、フィードローラ３０７により最上位の１枚のシートＳだけが矢印ｂ方向に送り出される。
【００３５】
シート供給デッキ３００の装置本体１００との接続部には、シート供給デッキ３００側から装置本体１００側のプレレジストローラ対１５１にシートＳを送り出す接続搬送路３０９が配置されている。
【００３６】
以上の構成を有するシート供給デッキ３００からシートＳが給送されると、シートＳの先端は、装置本体１００のプレレジストローラ対１５１のニップ部に突き当たる。プレレジストローラ対１５１のニップ部に一旦突き当たったシートＳは、給送タイミングに合わせて矢印ｄ方向に回転するこのプレレジストローラ対１５１により画像形成部１６０へ搬送される。
【００３７】
メインリフタ３０３は、後述する昇降機構により昇降動作されるように支持されている。また、ピックアップローラ３０６のシート給送方向上流側には上面検知センサＥ１が配置されている。上面検知センサＥ１は、メインリフタ３０３の上方に位置して、メインリフタ３０３に積載されたシートＳの上面を検知する。
【００３８】
大容量デッキ収納庫３０１内には、シート給送方向（図２の矢印ｂ方向）と直交する矢印ｈ方向（本実施形態では幅方向）の両側に配置された一対のサイド規制部材３１０、３１１が配置されている。一対のサイド規制部材３１０、３１１は、仕様上対応した全てのシートサイズ幅までスライドして、メインリフタ３０３上のシートＳの幅方向をガイド可能となるように構成されている。即ち、サイド規制部材３１０、３１１は、幅方向に移動可能に支持されて、積載されたシートＳの両端部に当接してシートＳの両側位置を規制する。なお、図２中３１２は、メインリフタ３０５上のシートＳの前端部を規制する前端規制部である。
【００３９】
また、メインリフタ３０３及び延長リフタ３０４に積載されたシートＳの後端部を規制するように後端規制部材３１３が配置されている。後端規制部材３１３は、シート給送方向（矢印ｂ方向）と平行な方向に移動可能に支持されて、シートＳの後端位置を規制している。この後端規制部材３１３は、大容量デッキ収納庫３０１の底面の中央部に形成された位置決め長穴部３０１ａと、メインリフタ３０３及び延長リフタ３０４の中央部に形成された位置決め長穴部３０３ａ及び３０４ａに沿って移動させられる。
【００４０】
図４は、メインリフタ及び延長リフタの昇降機構を示す大容量デッキ収納庫の概略正面断面図である。
【００４１】
図４において、メインリフタ３０３は、複数のワイヤ３１４がメインリフタ３０３の各ワイヤ支点に接続され、ワイヤ３１４によってメインリフタ３０３が吊り下げられている。後述する図７に示される昇降モータ１４に接続された巻取り部３１５によって、ワイヤ３１４が巻き取られると、メインリフタ３０３が上昇し、ワイヤ３１４が送り出されるとメインリフタ３０３が下降する機構となっている。
【００４２】
延長リフタ３０４は、大容量デッキ収納庫３０１に設けられた延長リフタ支持部材３１６により待機高さに支持されている。延長リフタ３０４自体には昇降する駆動力は無く、メインリフタ３０３が延長リフタ３０４の待機高さまで来ると、詳細は後述する連結部材３１７によりメインリフタ３０３に連結されてメインリフタ３０３の駆動力によりメインリフタ３０３と共に上昇する。
【００４３】
一方、メインリフタ３０３が延長リフタ３０４の待機高さより下方では、連結部材は機能せず、メインリフタ３０３のみが昇降して延長リフタ３０４は待機高さで支持されたままの状態となる。なお、この延長リフタ３０４の待機高さは、メインリフタ３０３の駆動力によって昇降可能な延長リフタ３０４に積載される長尺シートの積載可能最大枚数によって設定されている。
【００４４】
図５は、連結部材３１７を示す大容量デッキ収納庫３０１の概略上面図、図６は、連結部材３１７を示す大容量デッキ収納庫３０１の概略正面断面図である。
【００４５】
図５、図６において、メインリフタ３０３には、案内溝３０３ｂに沿って移動可能な連結部材３１７が設けられており、メインリフタ３０３が図６の（Ａ）に示される延長リフタ３０４の待機高さより下に位置する状態では、図５の（Ａ）に示されるように連結部材３１７は、収納位置検知センサＥ５により端部が検知される位置でメインリフタ３０３側に収納されている。
【００４６】
後端規制部材３１３の移動軌跡上には、図６に示されるように後端規制部材位置検知センサＥ４が配置されている。後端規制部材位置検知センサＥ４は、後端規制部材３１３の位置を検出することで、積載シートのサイズが常用シートであるか、または長尺シートであるかを判定する。後端規制部材位置検知センサＥ４は、メインリフタ３０３と延長リフタ３０４の境界近傍に配置され、一点鎖線で示した境界に対して後端規制部材３１３が常用シートを規制する矢印ｊ側にあるときは、後端規制部材位置検知センサ４７がＯＦＦ状態となっており積載シートのサイズが常用シートであると判定し、後端規制部材３０３が長尺シートを規制する矢印ｋ側に移動したときは、後端規制部材位置検知センサＥ４がＯＮ状態に切り替えられ、積載シートのサイズが長尺シートであると判定する。
【００４７】
メインリフタ３０３が図６の（Ｂ）に示される延長リフタ３０４の待機高さとなった状態で、後端規制部材３１３を矢印ｊ側から矢印ｋの方向にスライドさせて長尺シート規制側に設定すると、後端規制部材位置検知センサＥ４がこれを検知して後述する図１０に示される連結部材駆動モータ１６が連結部材３１７を延長リフタ３０４側に移動させ、図５の（Ｂ）に示される延長リフタ３０４に設けられた案内溝３０４ｂに連結部材３１７の端部が連動位置検知センサＥ６により検知される位置まで入り込ませる。
【００４８】
これにより、メインリフタ３０３が延長リフタ３０４の待機高さより上に上昇すると、連結部材３１７によってメインリフタ３０３に連結された延長リフタ３０４もメインリフタ３０３を駆動する図１０の昇降モータ１４の駆動力によりメインリフタ３０３と共に上昇する。
【００４９】
一方、延長リフタ３０４の待機高さで図６の（Ａ）に示されるように後端規制部材３１３を矢印ｋ側から矢印ｊの方向にスライドさせて常用シート規制側に設定すると、後端規制部材位置検知センサＥ４がこれを検知して図１０の連動部材駆動モータが連結部材３１７を図５の（Ａ）に示されるようにメインリフタ３０３側へ収納位置位置検知センサＥ５により連結部材３１７の端部が検知される位置まで移動させて連結部材３１７をメインリフタ３０３に収納し、延長リフタ３０４との連結を断つ。
【００５０】
これにより、メインリフタ３０３が延長リフタ３０４の待機高さより上に上昇しても延長リフタ３０４がメインリフタ３０３共に上昇することはなくなり、延長リフタ３０４の上に例えば用紙などの異物を置いてしまっていても、延長リフタ３０４が上昇して天面と延長リフタ３０４との間にその異物が挟まって、天面、メインリフタ３０３、又は延長リフタ３０４が変形や破損をしたり、さらにはメインリフタ３０３を昇降させるために駆動系が変形や破損するのを防止することができる。
【００５１】
なお、図６において、Ｅ２は、メインリフタ３０３が待機高さとなったことを検知する待機高さ検知センサ、Ｅ３は、メインリフタ３０３が下降下限位置となったことを検知する下限検知センサである。
【００５２】
図７は、シート供給デッキ３００の制御系の構成を示すブロック図である。図７中、既に説明した構成については、同一の符号を付してある。
【００５３】
図７において、１１は、ＣＰＵ、ＲＡＭ、ＲＯＭ等で構成された制御部で、ＣＰＵがＲＯＭに内蔵されたプログラムに従って回路全体を制御する。１２は、ユーザからの操作入力や表示を行う操作パネル、１３は、メインリフタ３０３の昇降駆動を行う昇降モータ１４を駆動制御するドライバ、１５は、連結部材３１７を駆動する連結部材駆動モータ１６を駆動制御するドライバ、１７は、積載するシートの出し入れを行うために大容量デッキ収納庫３０１の扉のロックを解除するソレノイド１８を、収納庫開スイッチＳＷのＯＮに応答して駆動制御するドライバである。  また、制御部１１は、上述した上面検知センサＥ１、待機高さ検知センサＥ２、下限検知センサＥ３、後端規制部材位置検知センサＥ４、収納位置検知センサＥ５、連結位置検知センサＥ６からの信号を入力する。
【００５４】
また制御部１１は、大容量デッキ収納庫３０１の開放指示する収納庫開スイッチＳＷ、大容量デッキ収納庫３０１が閉じられたことを検知する収納庫検知センサＥ７からの信号をする。
【００５５】
次に、大容量デッキ収納庫３０１を、常用シートを積載する常用シートモードから長尺シートを積載する長尺シートモードに切り替える場合の動作について、図８に示す制御部１１のＣＰＵのフローチャートに従って説明する。
【００５６】
ステップＳ０１で、ユーザの操作により操作パネル１２から長尺シートモードが選択されると、ステップＳ０２で、操作パネル１２に「長尺シートモードへ切り替えます。収納庫を開きシートを取り除いてください。」とメッセージを表示し、常用シートを取り除くように促す。
【００５７】
ステップＳ０３で、ユーザの操作により収納庫開スイッチＳＷがＯＮされると、ステップＳ０４で、ソレノイド１８により大容量デッキ収納庫３０１の扉のロックを解除し、ステップＳ０５で、操作パネル１２に「シートを取除き収納庫を閉めて下さい。」とメッセージを表示する。
【００５８】
ステップＳ０６で、ユーザにより大容量デッキ収納庫３０１が閉められ、収納庫検知センサＥ７により収納庫が閉じられたことが検知されると、ステップＳ０７で、メインリフタ３０３が待機高さ検知センサＥ２の上方又は下方のどちら側にあるのかが分からないため昇降モータ１４により一旦メインリフタ３０３を上昇駆動する。ステップＳ０８で、上面検知センサＥ１によりメインリフタ３０３が上限まで上昇したことが検知されると、ステップＳ０９で、メインリフタ３０３の上昇駆動を停止し、今度はメインリフタ３０３を下降させる。ステップＳ１０で、待機高さ検知センサＥ２によりメインリフタ３０３が待機高さまで下降したことを検知すると、ステップＳ１１で、メインリフタ３０３の下降を停止させる。
【００５９】
ステップＳ１２で、操作パネル１２に「収納庫を開き長尺シートをセットして下さい。」と表示し、ステップＳ１３で、ユーザの操作により収納庫開スイッチＳＷがＯＮにされると、ステップＳ１４で、ソレノイド１８により大容量デッキ収納庫を開き、ステップＳ１５で、操作パネル１２に「後端規制部材を長尺シート側に移動させて長尺シートをセットしてください。セットが完了したら収納庫を閉じて下さい。」と表示する。
【００６０】
ステップＳ１６で、ユーザにより収納庫が閉められ、収納庫検知センサＥ５により収納庫が閉じられたことが検知されると、ステップＳ１７で、後端規制部材位置検知センサＥ４により後端規制部材３１３が長尺シート側に移動させられたか否かを判定する。後端規制部材位置検知センサＥ４により後端規制部材３１３が長尺シート側に移動させられていないことが判定された場合は、ステップＳ１５に戻り、操作パネル１２に後端規制部材を長尺シート側に移動させるよう促すメッセージを再度表示する。ステップＳ１７で、後端規制部材位置検知センサＥ４により後端規制部材３１３が長尺シート側に移動されたと判定された場合は、ステップＳ１８で、連結部材駆動モータ１６により連結部材３１７を延長リフタ３０４側へ移動させる。ステップＳ１９で、連結部材位置検知センサＥ６により連結部材３１７が連結位置まで移動したことが検知されると、ステップＳ２０で、連結部材駆動モータ１６の駆動を停止する。
【００６１】
ステップＳ２１で、連結部材３１７により連結されたメインリフタ３０３と延長リフタ３０を昇降モータ１４により上昇駆動する。ステップＳ２２で、メインリフタ３０３と延長リフタ３０４に積載された最上面の長尺シートが上面検知センサＥ１により検知されると、ステップＳ２３で、メインリフタ３０３と延長リフタ３０４の上昇駆動を停止し、シート給送指示に応じて長尺シートの給送が行える準備が完了する。
【００６２】
次に、大容量デッキ収納庫３０１を長尺シートモードから常用シートモードに切り替える場合の動作を図９に示す制御部１１のＣＰＵのフローチャートに従って説明する。
【００６３】
ステップＳ３１で、ユーザの操作により操作パネル１２から常用シートモードが選択されると、ステップＳ３２で、操作パネル１２に「常用シートモードへ切り替えます。収納庫を開きシートを取り除いてください。」とメッセージを表示し、長尺シートを取り除くように促す。ステップＳ３３で、ユーザの操作により収納庫開スイッチＳＷがＯＮされると、ステップＳ３４で、ソレノイド１８により大容量デッキ収納庫３０１の扉のロックを解除し、ステップＳ３５で、操作パネル１２に「シートを取除き収納庫を閉めて下さい。」とメッセージを表示する。
【００６４】
ステップＳ３６で、ユーザにより大容量デッキ収納庫３０１が閉められ、収納庫検知センサＥ７により収納庫が閉じられたことが検知されると、ステップＳ３７で、昇降モータ１４によりメインリフタ３０３及び延長リフタ３０４を上昇駆動する。ステップＳ３８で、上面検知センサＥ１によりメインリフタ３０３が上限まで上昇したことが検知されると、ステップＳ３９で、メインリフタ３０３及び延長リフタ３０４の上昇駆動を停止し、今度はメインリフタ３０３及び延長リフタ３０４を下降させる。ステップＳ４０で、待機高さ検知センサＥ２によりメインリフタ３０３が待機位置まで下降したことを検知すると、ステップＳ４１で、メインリフタ３０３及び延長リフタ３０４の下降を停止させる。
【００６５】
ステップＳ４２で、操作パネル１２に「収納庫を開き常用シートをセットして下さい。」と表示し、ステップＳ４３で、ユーザの操作により収納庫開スイッチＳＷがＯＮにされると、ステップＳ４４で、ソレノイド１８により大容量デッキ収納庫を開き、ステップＳ４５で、操作パネル１２に「後端規制部材を常用シート側に移動させて常用シートをセットしてください。セットが完了したら収納庫を閉じて下さい。」と表示する。
【００６６】
ステップＳ４６で、ユーザにより収納庫が閉められ、収納庫検知センサＥ５により収納庫が閉じられたことが検知されると、ステップＳ４７で、後端規制部材位置検知センサＥ４により後端規制部材３１３が常用シート側に移動させられたか否かを判定する。後端規制部材位置検知センサＥ４により後端規制部材３１３が常用シート側に移動させられていないことが判定された場合は、ステップＳ４５に戻り、操作パネル１２に後端規制部材を常用シート側に移動させるよう促すメッセージを再度表示する。ステップＳ４７で、後端規制部材位置検知センサＥ４により後端規制部材３１３が常用シート側に移動されたと判定された場合は、ステップＳ４８で、連結部材駆動モータ１６により連結部材３１７をメインリフタ３０３側へ移動させる。ステップＳ４９で、収納位置検知センサＥ６により連結部材３１７がメインリフタ３０３の収納位置まで移動したことが検知されると、ステップＳ５０で、連結部材駆動モータ１６の駆動を停止する。
【００６７】
ステップＳ５１で、メインリフタ３０３を昇降モータ１４により上昇駆動する。その際に、連結部材３１７によるメインリフタ３０３との連結が断たれた延長リフタ３０４は、メインリフタ３０３と共に上昇動作することなく待機高さに留まる。ステップＳ５２で、メインリフタ３０３に積載された最上面の常用シートが上面検知センサＥ１により検知されると、ステップＳ５３で、メインリフタ３０３の上昇駆動を停止し、シート給送指示に応じて常用シートの給送が行える準備が完了する。
【００６８】
本実施形態では、連結部材３１７は、連結部材駆動モータ１６によって駆動される構成であるが、モータを用いずに後端規制部材３１３にギアなどで機械的に連動させるような構成であってもよい。
【００６９】
〔第２実施形態〕
次に、本発明の第２実施形態に係るメインリフタ３０３と延長リフタ３０４の連結構成について図１０、図１１及び図１２を用いて説明する。なお、第１実施形態と同一の構成には同一の符号を付してある。また、連結構成以外の構成については、第１実施形態と同様の構成であるので、それらを援用するものとして説明を省略する。
【００７０】
図１０は、メインリフタ３０３と延長リフタ３０４の連結構成を示す大容量デッキ収納庫３０１の概略上面図、図１１は、延長リフタ３０４の連結構成を示す側面断面図、図１２は、メインリフタ３０３と延長リフタ３０４の連結構成を示す大容量デッキ収納庫３０１の概略正面断面図である。
【００７１】
図１０〜図１２において、メインリフタ３０３は、延長リフタ３０４方向に延びた２本の連結支持部材３０３ｃを備えている。延長リフタ３０４は、後端規制部材３１３のスライド方向に垂直な方向に分離移動可能な２枚の延長積載トレイ３０４ｃと、２枚の延長積載トレイ３０４ｃをスライド可能に支持するスライドレール３１８と、２枚の延長積載トレイ３０４ｃのそれぞれとスライドレール３１９の間に懸架され、２枚の延長積載トレイ３０４ｃを分離方向とは逆方向に付勢する積載トレイ閉じバネ３１９、３２０と、トレイ昇降コロ３２１、３２２とを備えている。
【００７２】
以上の構成において、大容量デッキ収納庫３０１に設けられた延長リフタ支持部材３２５により待機高さに支持されている延長リフタ３０４に対し、長尺シート使用時は、後端規制部材３１３を長尺シートの後端に合わせるためにメインリフタ３０３側から延長リフタ３０４方向に図１２の矢印ｊ側から矢印ｋの方向にスライドさせると、後端規制部材３１３によって２枚の延長積載トレイ３０４ｃがそれぞれ積載トレイ閉じバネ３２０、３２１の付勢力に抗して押し広げられる。これにより、スライドレール３１８によって連結されている２枚の延長積載トレイ３０４ｃは、メインリフタ３０３から延長積載トレイ３０４側に延びている２本の連結支持部材３ｃの上部にそれぞれ載ることで、下から支えられる状態になり、メインリフタ３０３の昇降動作に連動して延長リフタ３０４が昇降可能となる。
【００７３】
一方、常用シート使用時は、後端規制部材３１３を常用シートの後端に合わせるために延長リフタ３０４側からメインリフタ３０３の方向に図１２の矢印ｋ側から矢印ｊの方向にスライドさせると、後端規制部材３１３によって押し広げられていた２枚の延長積載トレイ３０４ｃが後端規制部材３１３の退避に伴って積載トレイ閉じバネ３１９、３２０の付勢力により閉じられる。そして、閉じた状態の延長積載トレイ３０４ｃは、メインリフタ３０３の２本の連結支持部材３０３ｃの間隔より幅が狭くなるため、メインリフタ３０３が上昇しても延長積載トレイ３０４ｃが連結支持部材３０３ｃに支持されてメインリフタ３０３と共に上昇することはなくなり、延長リフタ支持部材３２５により待機高さに支持された位置に留まることになる。
【００７４】
また、後端規制部材３１３には、２枚の延長積載トレイ３０４ｃを押し広げる際に２枚の延長積載トレイ３０４ｃと接する位置にスライド方向に回転するコロ３２３、３２４が配置されており、２枚の延長積載トレイ３０４ｃ間を後端規制部材３１３が滑らかにスライドすることが出来る。
【００７５】
また、メインリフタ３０３の昇降動作に連動して延長リフタ３０４が昇降する際に、延長リフタ３０４に設けられたトレイ昇降コロ３２１、３２２の作用により、２枚の延長積載トレイ３０４ｃは、後端規制部材８３１３に対して擦ることなく昇降動作できる。
【符号の説明】
【００７６】
１…画像形成システム
１１…制御部
１２…操作パネル
１４…昇降モータ
１６…連結部材駆動モータ
１８…ソレノイド
１００…画像形成装置本体
２００…原稿読み取りスキャナ装置
３００…シート供給デッキ
３０１…大容量デッキ収納庫
３０２…シート給送装置
３０３…メインリフタ
３０３ｃ…連結支持部材
３０４…延長リフタ
３０４ｃ…延長積載トレイ
３１３…後端規制部材
３１６…延長リフタ支持部材
３１７…連結部材
３１８…スライドレール
３１９…積載トレイ閉じバネ
３２０…積載トレイ閉じバネ
３２５…延長リフタ支持部材
Ｅ１…上面検知センサ
Ｅ２…待機高さ検知センサ
Ｅ３…下限検知センサ
Ｅ４…後端規制部材位置検知センサ
Ｅ５…収納位置検知センサ
Ｅ６…連結位置検知センサ
Ｅ７…収納庫検知センサ
ＳＷ…収納庫開スイッチ
【図１】
2020007147.tif 000003
【図２】
2020007147.tif 000004
【図３】
2020007147.tif 000005
【図４】
2020007147.tif 000006
【図５】
2020007147.tif 000007
【図６】
2020007147.tif 000008
【図７】
2020007147.tif 000009
【図８】
2020007147.tif 000010
【図９】
2020007147.tif 000011
【図１０】
2020007147.tif 000012
【図１１】
2020007147.tif 000013
【図１２】
2020007147.tif 000014